(57)【要約】【課題】装飾リングの加工が行いやすく、強度で安価なゴルフクラブ用ソケットを提供する。【解決手段】筒状に形成されたソケット本体７をゴルフクラブ２のシャフト４に挿入可能なゴルフクラブ用ソケットにおいて、前記ソケット本体７は、軸心方向に分割形成されており、分割された筒体間に金属製の装飾リング８が設けられている。【選択図】図１
0003103748.tif 000002
【実用新案登録請求の範囲】
【請求項１】
筒状に形成されたソケット本体をゴルフクラブのシャフトに挿入可能なゴルフクラブ用ソケットにおいて、
前記ソケット本体は、軸心方向に分割形成されており、分割された筒体間に金属製の装飾リングが設けられていることを特徴とするゴルフクラブ用ソケット。
【請求項２】
前記ソケット本体は、第１筒体と、第２筒体とに分割形成されており、この第１筒体と第２筒体との間に金属製の装飾リングが設けられていることを特徴とする請求項１に記載のゴルフクラブ用ソケット。
【請求項３】
前記第１筒体は、装飾リングを外嵌すると共に、第２筒体を外嵌する嵌合筒部を有していることを特徴とする請求項２に記載のゴルフクラブ用ソケット。
【請求項４】
前記装飾リングの外周面に、コーティング層が設けられていることを特徴とする請求項１〜３のいずれかに記載のゴルフクラブ用ソケット。
【考案の詳細な説明】
【技術分野】
【０００１】
本考案は、ゴルフクラブのシャフトに設けられるゴルフクラブ用ソケットに関するものである。
【背景技術】
【０００２】
ゴルフクラブ用ソケットとして、特許文献１に示すものがある。このゴルフ用ソケットは、樹脂製の筒状のパイプの外周面に金、銀等の箔を表面になるように巻装してこの巻装したパイプに他の樹脂製のパイプを外嵌して装飾リングを作成し、この装飾リングを筒状のソケット本体に接着剤等を介して接着することによって形成していた。
【特許文献１】実開昭５３−５６２６３号公報
【考案の開示】
【考案が解決しようとする課題】
【０００３】
従来のゴルフクラブ用ソケットでは、２つの筒体及び金、銀等の箔から装飾リングを作成し、この装飾リングをソケット本体に取り付けるようにしてたので装飾リングの加工が非常に面倒で、高価なものになっていた。
また、装飾リングを樹脂製の部材から構成していたので、ゴルフクラブ用ソケットの強度が低くなる恐れがあった。
本考案は、上記のような実情に鑑みてされてたもので、その目的とするところは、装飾リングの加工が行いやすく、強度を向上させた安価なゴルフクラブ用ソケットを提供することにある。
【課題を解決するための手段】
【０００４】
前記目的を達成するため、本考案は、次の手段を講じた。
筒状に形成されたソケット本体をゴルフクラブのシャフトに挿入可能なゴルフクラブ用ソケットにおいて、前記ソケット本体は、軸心方向に分割形成されており、分割された筒体間に金属製の装飾リングが設けられている点にある。
これによれば、装飾リングを金属材料で形成したので、金属材料のそのものの色を利用が可能であり装飾リングの加工を簡単にすることができる。しかも、分割した筒体の間に装飾リングを介在させるだけで製造することができ、製造コストも安く、強度を向上させた、ゴルフクラブ用ソケットにすることができる。
【０００５】
上記目的を達成するための他の技術的手段は、前記ソケット本体は、第１筒体と、第２筒体とに分割形成されており、この第１筒体と第２筒体との間に金属製の装飾リングが設けられている点にある。
これによれば、装飾リングを金属材料で形成したので、金属材料のそのものの色を利用が可能であり装飾リングの加工を簡単にすることができる。しかも、第１筒体の間と第２筒体との間に装飾リングを介在させるだけで製造することができ、製造コストも安く、強度を向上させた、ゴルフクラブ用ソケットにすることができる。
【０００６】
上記目的を達成するための他の技術的手段は、前記第１筒体は、装飾リングを外嵌すると共に、第２筒体を外嵌する嵌合筒部を有している点にある。
これによれば、各部材（第１筒体、装飾リング、第２筒体）の組立が非常に行いやすい。
上記目的を達成するための他の技術的手段は、前記装飾リングの外周面に、コーティング層が設けられている点にある。
これによれば、装飾リングの酸化、汚染、損傷を防止することができる。
【考案の効果】
【０００７】
装飾リングの加工が行いやすく、強度を向上でき、安価にすることができる。
【考案を実施するための最良の形態】
【０００８】
以下、本考案の実施の形態を図面に基づいて説明する。
本考案のゴルフクラブ用ソケット１は、図１に示すように、ゴルフクラブ２のヘッド３とシャフト４の接続部近傍に装着するものである。
このゴルフクラブ用ソケット１は、ソケット本体７と、装飾リング８とを有している。
図２，３に示すように、ソケット本体７は、ＡＢＳ樹脂，ＰＰ樹脂，ＦＲＰ樹脂等の合成樹脂やセルロイドから筒状に形成されて軸方向に複数の筒体（例えば、２個）に分割されており、分割された第１筒体９と第２筒体１０との間に装飾リング８が介在されている。
【０００９】
なお、説明の便宜上、図１のゴルフクラブのシャフト４突出側を先端（前側）とし、ヘッド３側を後端（後側）として説明する。
図３に示すように、第１筒体９は、一端（先端）から他端（後端）いくにしたがってその外径が大きくなる大径部９ａと、外径が一定で且つ大径部９ａよりも外径が小さい小径部９ｂとを有している。大径部９ａ及び小径部９ｂの内径は、シャフト４の外径と略同じ大きさに設定されている。
この第１筒体９の小径部９ｂは、大径部９ａの後端に連結されて大径部９ａと一体成形されており、この小径部９ｂの幅は装飾リング８の幅よりも大きく設定されている。
【００１０】
また、この小径部９ｂは、装飾リング８、第２筒体１０の前部を嵌合可能に形成されており、装飾リング８及び第２筒体１０を嵌合する嵌合筒部１２とされ、この嵌合筒部１２と大径部９ａの後端との間に段部１３が形成されいる。
第２筒体１０の外径は、第１筒体９の後端部の径と略同じ径に設定されており、第２筒体１０の内径はシャフト４の外径と略同じ大きさに設定されている。
第２筒体１０の前部には、第１筒体９の小径部９ｂの端部（嵌合筒部１２）が内嵌される被嵌合部１４が設けられており、この被嵌合部１４は第２筒体１０の前部の内径を第１筒体９の小径部９ｂ（嵌合筒部１２）の外径と略同じに設定することによって形成されている。
【００１１】
装飾リング８は、例えば、真鍮、アルミ、ステンレス等の金属系材料から円筒状に形成されており、金属材料のそのものの色を利用することによって、ゴルフクラブ用ソケット１を意匠性を向上させるものである。
装飾リング８の内径は、第１筒体９の小径部９ｂの外径と略同じに設定されており、装飾リング８の外径は、第１筒体９の大径部９ａの後端部又は第２筒体１０の外径と略同じに設定されている。この装飾リング８の幅は、７〜１０ｍｍ以下に設定することが好ましい。
【００１２】
図３、４に示すように、装飾リング８の外周面全体には、例えば、合成樹脂ワニスやウレタン，エポキシ等の透明又は有色のコーティング剤を塗布してコーティング層１５を形成するのが好ましく、こうすることによって、装飾リング８の酸化、汚染、損傷を防止することができる。
また、合成樹脂ワニス系のコーティング剤を装飾リング８の外周面に塗布した場合、装飾リング８の外周面側を光沢のあるものにすることができ、これによって、意匠性を向上させることができる。
【００１３】
なお、装飾リング８の外周面に、イオンプレーティングによって金属系材料を塗布することで、金属材料で形成されたコーティング層１５を設けてもよく、この場合、このコーディング層１５にソケット本体７の形状やサイズを示す文字を金属系材料で表示するようにしてもよい。
上記構成によれば、第１筒体９の嵌合筒部１２に装飾リング８を外嵌した後、第１筒体９の嵌合筒部１２の後部に第２筒体１０の被嵌合部１４を外嵌することによって、装飾リング８は第１筒体９と第２筒体１０との間で挟持され、前後中途部に装飾リング８を有するゴルフクラブ用ソケット１を構成することができる。
【００１４】
これから分かるように、第１筒体９の嵌合筒部１２に装飾リング８及び第２筒体１０を順に嵌め込むだけでゴルフクラブ用ソケット１を簡単に形成することができ、各部材（第１筒体９、装飾リング８、第２筒体１０）の組立も非常に簡単である。
また、第１筒体９の嵌合筒部１２に装飾リング８を嵌合する際、第１筒体９の段部１３に装飾リング８の前側面が当接するまで装飾リング８を嵌め込めばよいので、装飾リング８の軸方向の位置決めが容易である。
各部材（第１筒体９、装飾リング８、第２筒体１０）の固定は、各部材の間に、エポキシ系の接着剤を塗布し、これらを圧着すればよく、この点からも、組立が非常に簡単である。なお、上記接着剤は、不飽和ポリエステル系、フェノール系、メラミン系の接着剤であってもよい。
【００１５】
また、装飾リング８を金属系材料で形成したので、装飾部に塗装等をしなくても金属そのものの色彩を利用して意匠性を向上させることができるばかりでなく、装飾リング８によっってソケット全体の強度を向上させることができる。
上記のように構成したゴルフクラブ用ソケット１のうち、ソケット本体７をセルロイドで形成した場合、セルロイドに伸縮性があるため、ソケット本体７の内径をシャフト４よりもやや小さめに設定して、ゴルフクラブ用ソケット１を加熱しながらシャフト４に圧入することにより接着剤を用いることなくゴルフクラブ用ソケットをシャフト４に挿入固定が可能である。
【００１６】
本考案は、上記記載の実施の形態に限定されることなく適宜に設計変更が可能である。
上記の実施の形態では、ソケット本体７を軸方向に第１筒体９と、第２筒体１０との２つに分割しているが、ソケット本体７を軸方向に複数分割してもよく。それぞれ、分割した筒体間に装飾リング８を介在させてもよい。
この場合、各筒体間に介在させる装飾リング８の金属の種類を数種類にすることによって、ゴルフクラブ用ソケット１の意匠性及び強度を向上させることができる。
また、装飾リング８の金属の種類を数種類にして、意匠性が異なるゴルフクラブ用ソケット１を作成し、その意匠性の違いからゴルフクラブの種類を識別できるようにしてもよい。
【図面の簡単な説明】
【００１７】
【図１】本考案のゴルフクラブ用ソケットをゴルフクラブに取り付けた正面図である。
【図２】ゴルフクラブ用ソケットの正面拡大図である。
【図３】図２のＡ−Ａ断面図である。
【図４】図２のＢ−Ｂ断面図である。
【符号の説明】
【００１８】
１    ゴルフクラブ用ソケット
７    ソケット本体
８    装飾リング
９    第１筒体
１０  第２筒体
１２  嵌合筒部
【図１】
0003103748.tif 000003
【図２】
0003103748.tif 000004
【図３】
0003103748.tif 000005
【図４】
0003103748.tif 000006